(57)【要約】【課題】持ち運びし易い卓上用の電磁調理器を提供する。【解決手段】トッププレート３上の被加熱器具をトッププレート３の下側に設けられた加熱コイルにより電磁誘導加熱する電磁調理器１において、トッププレート３を上面に配置する箱状の本体部２と、電磁調理器１を操作するための操作部７と、電磁調理器１の動作状態を表示する表示部８と、電磁調理器１を持ち運ぶための第１の持ち手５と、を備え、第１の持ち手５は本体部２の一側面２ａに設けられ、操作部７と表示部８とが第１の持ち手５のトッププレート３面側に配置されている。【選択図】図１
0003135813.tif 000002
【実用新案登録請求の範囲】
【請求項１】
トッププレート上の被加熱器具を前記トッププレートの下側に設けられた加熱コイルにより電磁誘導加熱する電磁調理器において、
前記トッププレートを上面に配置する箱状の本体部と、
電磁調理器を操作するための操作部と、
電磁調理器の動作状態を表示する表示部と、
電磁調理器を持ち運ぶための第１の持ち手と、を備え、
前記第１の持ち手は前記本体部の一側面に設けられ、前記操作部と前記表示部とが前記第１の持ち手の前記トッププレート面側に配置されていることを特徴とする電磁調理器。
【請求項２】
前記第１の持ち手が設けられた前記一側面と対向する前記本体部の他側面に第２の持ち手を備え、前記第２の持ち手に設けられた前記他側面に平行な支持面によって垂直姿勢に自立可能であることを特徴とする請求項１に記載の電磁調理器。
【請求項３】
前記第１の持ち手の断面は、円のうち前記トッププレート面側を直線カットした形状であり、この直線カットした面に前記操作部と前記表示部が配置されていることを特徴とする請求項１または２に記載の電磁調理器。
【請求項４】
前記第２の持ち手を前記本体部方向に投影してなる投影部が逆凹字形となっており、ＡＣ電源からの電源供給プラグが、この逆凹字部を通して前記他側面に設けられた電源供給口に挿入可能であることを特徴とする請求項２または３に記載の電磁調理器。
【考案の詳細な説明】
【技術分野】
【０００１】
本考案は、トッププレート上の被加熱器具をトッププレートの下側に設けられた加熱コイルにより電磁誘導加熱する電磁調理器に関する。
【背景技術】
【０００２】
電磁調理器は、トッププレートの下側に設けられた加熱コイルに高周波電流を供給して高周波磁界を発生させ、トッププレート上に載置された鍋やフライパン等の被加熱器具の底部に渦電流を発生させ、この渦電流により被加熱器具に発生する熱で食材を調理するものである。このような電磁調理器は火を使用しないため安全性が高く、卓上用の調理器としての用途にも適している。卓上用の電磁調理器としては、例えば、下記特許文献１に開示されている。
【０００３】
下記特許文献１には、卓上用の電磁調理器であって、電磁調理器の周囲に油跳ねを防止するカバー部材を取り付けられるようにしたものが記載されている。この電磁調理器は、電磁調理器のケース本体の周面部分適宜箇所に、カバー部材の取付部を設けてなることを特徴としている。
【０００４】
【特許文献１】実登３０６０９７９号公報
【考案の開示】
【考案が解決しようとする課題】
【０００５】
しかし、このような卓上用の電磁調理器では、収納場所から卓上へ移動する際、もしくは逆に卓上から収納場所へ移動する際には、持ち手が無いためにケース本体の両側面部を両手で持つなどしなければならず不便である。
【０００６】
本考案は上記実情に鑑みてなされたものであり、その課題は、持ち運びし易い卓上用の電磁調理器を提供することである。
【課題を解決するための手段】
【０００７】
上記課題を解決するため本考案に係る電磁調理器は、
トッププレート上の被加熱器具を前記トッププレートの下側に設けられた加熱コイルにより電磁誘導加熱する電磁調理器において、
前記トッププレートを上面に配置する箱状の本体部と、
電磁調理器を操作するための操作部と、
電磁調理器の動作状態を表示する表示部と、
電磁調理器を持ち運ぶための第１の持ち手と、を備え、
前記第１の持ち手は前記本体部の一側面に設けられ、前記操作部と前記表示部とが前記第１の持ち手の前記トッププレート面側に配置されていることを特徴とする。
【０００８】
かかる構成による電磁調理器の作用・効果を説明する。電磁調理器は、箱状の本体部の上面に配置されたトッププレート上の被加熱器具を、トッププレートの下側に当たる本体部内に設けられた加熱コイルにより電磁誘導加熱する。この電磁調理器は、電磁調理器を操作するための操作部と、電磁調理器の動作状態を表示する表示部と、電磁調理器を持ち運ぶための第１の持ち手を備えている。第１の持ち手は、箱状の本体部の一側面に設けられ、操作部と表示部が第１の持ち手のトッププレート面側に配置されている。この第１の持ち手を設けることで、第１の持ち手を持ちトッププレート面を横に向けた状態にして電磁調理器を容易に持ち運ぶことが可能である。また、操作部と表示部を第１の持ち手に設けることで、本体部に操作部と表示部を設け、さらに持ち手を設けた場合に比べ、電磁調理器全体を小型化することができる。
【０００９】
本考案の電磁調理器において、前記第１の持ち手が設けられた前記一側面と対向する前記本体部の他側面に第２の持ち手を備え、前記第２の持ち手に設けられた前記他側面に平行な支持面によって垂直姿勢に自立可能であることが好ましい。
【００１０】
電磁調理器が、第１の持ち手が設けられた一側面と対向する本体部の他側面に第２の持ち手を備えることで、第１の持ち手と第２持ち手を両手で持ちながら電磁調理器を容易に持ち運ぶことができて便利である。また、卓上で場所を移動させる際にも両手で持つことができ便利である。なお、第２の持ち手のみを持ちトッププレート面を横に向けた状態にして電磁調理器を持ち運ぶことも可能である。さらに、第２の持ち手には、本体部の他側面に平行な支持面が設けられており、電磁調理器は支持面を下にして垂直姿勢に（トッププレート面を横に向けた状態で）自立することが可能である。この構成によれば、第１の持ち手のみを持って持ち運んだ後、電磁調理器の向きを変えることなくそのまま立てることができて便利である。また、収納する際にも電磁調理器を垂直姿勢に立てた状態で収納できるので省スペースとなる。
【００１１】
本考案の電磁調理器において、前記第１の持ち手の断面は、円のうち前記トッププレート面側を直線カットした形状であり、この直線カットした面に前記操作部と前記表示部が配置されていることが好ましい。
【００１２】
第１の持ち手の断面は、円のうちトッププレート面側を直線カットした形状であり、この直線カットした面に操作部と表示部が配置されている。第１の持ち手の断面は円形に近いので、手で持ったときにも痛くなく持ち易い。また、第１の持ち手のトッププレート面側のカット面に操作部と表示部があるので、使用時に操作部を操作し易く、表示部も見易いと同時に、第１の持ち手を持ったときには操作部と表示部が邪魔になりにくい。
【００１３】
本考案の電磁調理器において、前記第２の持ち手を前記本体部方向に投影してなる投影部が逆凹字形となっており、ＡＣ電源からの電源供給プラグが、この逆凹字部を通して前記他側面に設けられた電源供給口に挿入可能であることが好ましい。
【００１４】
第２の持ち手を本体部方向に投影してなる投影部が逆凹字形となっていることで、電磁調理器を卓上に置いた状態でも、本体部の側方から逆凹字部を通して手を入れて第２の持ち手を持ち易い。また、この逆凹字部を通して、ＡＣ電源からの電源供給プラグが本体部の他側面に設けられた電源供給口に挿入可能となっており、電源供給プラグを挿入する際にも第２の持ち手が邪魔になることはない。
【考案を実施するための最良の形態】
【００１５】
本考案に係る電磁調理器の好適な実施形態を図面を用いて説明する。図１は本実施形態に係る電磁調理器を示す外観斜視図である。図２は本発明の電磁調理器の構成を示すものであり、図２（ａ）は電磁調理器の正面図、図２（ｂ）は電磁調理器の側面図である。
【００１６】
電磁調理器１は、箱状をした本体部２の上面にトッププレート３が配置されている。トッププレート３の材料としては、耐熱性のあるセラミックやガラス等が用いられる。本体部２内には不図示の加熱コイル、制御回路、冷却ファン等が内蔵されている。また、本体部２底部の４隅には、脚部４を備えている。
【００１７】
また、本体部２の一側面２ａには、一側面２ａとほぼ同じ長さの第１の持ち手５を備え、トッププレート３を挟んで一側面２ａと対向する他側面２ｂには、他側面２ｂとほぼ同じ長さの第２の持ち手６を備える。したがって、第１の持ち手５と第２持ち手６を両手で持ちながら電磁調理器１を容易に持ち運ぶことができる。また、第１の持ち手５と第２の持ち手６のうち片方だけを持って持ち運ぶことも当然可能である。
【００１８】
第１の持ち手５は、図２（ｂ）に示すように、円のうちトッププレート３面側を直線的にカットした断面をした棒状となっている。この第１の持ち手５を直線的にカットした直線カット面５ａには、操作部７と表示部８が設けられている。第１の持ち手５の断面は円形に近いので、手で持ったときにも痛くなく持ち易い。また、第１の持ち手５のトッププレート３面側の直線カット面５ａに操作部７と表示部８があるので、電磁調理器１の使用時に操作部７を操作し易く、表示部８も見易い。さらに、電磁調理器１を卓上で移動する際に、第１の持ち手５を下方から抱えたときにも操作部７と表示部８が邪魔になりにくい。操作部７は、電磁調理器１のオンオフ、温度調節、加熱時間の設定等を行なうためのものであり、子供のいたずらを防止するチャイルドロックボタン等も備える。操作部７としては、押しボタンスイッチ、パネルスイッチ、メンブレンスイッチ等を使用することができる。表示部８は、電磁調理器１のオンオフ、温度、加熱時間等を表示するものであり、液晶、ＬＥＤ等を使用することができる。また、表示部８は第１の持ち手５の中央部からずれた位置にあるので、通常第１の持ち手５の中央部を握った場合にも、傷つき易い表示部８を手で触る可能性は少なくなっている。
【００１９】
第２の持ち手６は、図２（ｂ）に示すように、本体部２の他側面２ｂに平行な支持面６ａを備える。支持面６ａは、本体部２の他側面２ｂとほぼ同じ長さ、本体部２の高さと同じ程度の最大幅を有しており、図３のように、電磁調理器１は支持面６ａを下にして垂直姿勢による安定した自立が可能である。
【００２０】
電磁調理器１を第２の持ち手６の方向から見た図を図４に示す。図４のように、第２の持ち手６は、トッププレート３側を上、脚部４側を下とすると、第２の持ち手６を本体部２の方向に投影してなる投影部が逆凹字形となっている。すなわち、第２の持ち手６の支持面６ａが逆凹字形となっている。第２の持ち手６がこのような形状をしていることで、電磁調理器１を卓上に置いた状態でも本体部２の側方から逆凹字部を通して手を入れて第２の持ち手６を持ち易い。また、図４のように、本体部２の他側面２ｂには、電源供給口９を備えている。支持面６ａが逆凹字形となっているので、ＡＣ電源からの電源供給プラグを電源供給口９に挿入する際にも第２の持ち手６が邪魔になることはない。
【００２１】
＜別実施形態＞
なお、本実施形態では、第１の持ち手５および第２の持ち手６を備えるが、第１の持ち手５のみでもよい。
【図面の簡単な説明】
【００２２】
【図１】電磁調理器の外観斜視図
【図２】電磁調理器の構成を示す図
【図３】電磁調理器を自立させた状態を示す図
【図４】電磁調理器を側方から見た図
【符号の説明】
【００２３】
１    電磁調理器
２    本体部
２ａ  一側面
２ｂ  他側面
３    トッププレート
４    脚部
５    第１の持ち手
５ａ  直線カット面
６    第２の持ち手
６ａ  支持面
７    操作部
８    表示部
９    電源供給口
【図１】
0003135813.tif 000003
【図２】
0003135813.tif 000004
【図３】
0003135813.tif 000005
【図４】
0003135813.tif 000006